(57)【要約】【課題】ＰＯＦを用いて有無線統合中継サービスを提供する。【解決手段】移動通信基地局又はギャップフィラー中継器から受信されたＲＦ信号をデジタル信号に変換し、これをＰＯＦ光ケーブルを介して複数の遠隔分配ユニットに伝送し、前記遠隔分配ユニットから前記デジタル信号を受信し、これを前記ＲＦ信号に変換して前記ＰＯＦ光ケーブルを介して前記移動通信基地局又は前記ギャップフィラーに伝送する分配ハブユニットと、ビルの内部に設置され、前記分配ハブユニットから前記ＰＯＦ光ケーブルを介して前記デジタル信号を受信し、これを前記ＲＦ信号に変換してアンテナに伝送し、前記アンテナから前記ＰＯＦ光ケーブルを介して前記ＲＦ信号を受信し、これを前記デジタル信号に変換して前記分配ハブユニットに伝送する前記遠隔分配ユニットとを含んでＰＯＦを用いたインビルディング中継システムを構成する。【選択図】図１
2012114892.tif 000002
【特許請求の範囲】
【請求項１】
移動通信基地局又はギャップフィラー中継器から受信されたＲＦ信号をデジタル信号に変換し、これをＰＯＦ光ケーブルを介して複数の遠隔分配ユニットに伝送し、前記遠隔分配ユニットから前記デジタル信号を受信し、これを前記ＲＦ信号に変換して前記ＰＯＦ光ケーブルを介して前記移動通信基地局又は前記ギャップフィラーに伝送する分配ハブユニットと、
ビルの内部に設置され、前記分配ハブユニットから前記ＰＯＦ光ケーブルを介して前記デジタル信号を受信し、これを前記ＲＦ信号に変換してアンテナに伝送し、前記アンテナから前記ＰＯＦ光ケーブルを介して前記ＲＦ信号を受信し、これを前記デジタル信号に変換して前記分配ハブユニットに伝送する前記遠隔分配ユニットと、を含むことを特徴とするＰＯＦを用いたインビルディング中継システム。
【請求項２】
前記分配ハブユニットは、
前記移動通信基地局又は前記ギャップフィラー中継器との間で無線で前記ＲＦ信号を送受信するＲＦ中継器と前記ＰＯＦ光ケーブルを介して連結されることを特徴とする、請求項１に記載のＰＯＦを用いたインビルディング中継システム。
【請求項３】
前記分配ハブユニットは、
前記移動通信基地局又は前記ギャップフィラー中継器と連結されたメーンハブユニット（ＭＨＵ）と前記ＰＯＦ光ケーブルで接続されることを特徴とする、請求項１に記載のＰＯＦを用いたインビルディング中継システム。
【請求項４】
前記分配ハブユニットは、
前記ビルの地下に設けられた地下通信室に設置されることを特徴とする、請求項１に記載のＰＯＦを用いたインビルディング中継システム。
【請求項５】
前記遠隔分配ユニットは、
前記分配ハブユニットと前記ＰＯＦ光ケーブルで連結された拡張ハブユニットから前記デジタル信号を受信して前記ＲＦ信号に変換し、前記アンテナを介してビルの内部にデジタル放送ＲＦ信号を中継することを特徴とする、請求項１に記載のＰＯＦを用いたインビルディング中継システム。
【請求項６】
前記インビルディング中継システムは、
ＷＣＤＭＡ、ＷＩＢＲＯ、ＷＩＦＩ、ＬＴＥのうちいずれか一つの無線通信方式を用いてインビルディングでサービス可能な放送及びコンテンツを処理することを特徴とする、請求項１に記載のＰＯＦを用いたインビルディング中継システム。
【請求項７】
分配ハブユニット及び複数の遠隔分配ユニットを含むインビルディング中継システムによって行われるインビルディング中継方法において、
前記分配ハブユニットで、移動通信基地局又はギャップフィラー中継器から受信されたＲＦ信号をデジタル信号に変換し、これをＰＯＦ光ケーブルを介して複数の遠隔分配ユニットに伝送する段階と、
前記遠隔分配ユニットで、前記分配ハブユニットから前記ＰＯＦ光ケーブルを介して前記デジタル信号を受信して前記ＲＦ信号に変換する段階と、
前記遠隔分配ユニットで、前記ＲＦ信号を前記ＰＯＦ光ケーブルを介してアンテナに伝送し、ビルの内部にデジタル放送ＲＦ信号を中継する段階と、を含むことを特徴とするＰＯＦを用いたインビルディング中継方法。
【請求項８】
前記遠隔分配ユニットで、前記アンテナから前記ＰＯＦ光ケーブルを介して前記ＲＦ信号を受信し、これを前記デジタル信号に変換して前記分配ハブユニットに伝送する段階と、
前記分配ハブユニットで、前記遠隔分配ユニットから前記デジタル信号を受信し、これを前記ＲＦ信号に変換して前記ＰＯＦ光ケーブルを介して前記移動通信基地局又は前記ギャップフィラーに伝送する段階と、をさらに含むことを特徴とする、請求項７に記載のＰＯＦを用いたインビルディング中継方法。
【請求項９】
前記分配ハブユニットは、
前記移動通信基地局又は前記ギャップフィラー中継器との間で無線で前記ＲＦ信号を送受信するＲＦ中継器と前記ＰＯＦ光ケーブルを介して連結されることを特徴とする、請求項７に記載のＰＯＦを用いたインビルディング中継方法。
【請求項１０】
前記分配ハブユニットは、
前記移動通信基地局又は前記ギャップフィラー中継器と連結されたメーンハブユニット（ＭＨＵ）と前記ＰＯＦ光ケーブルで接続されることを特徴とする、請求項７に記載のＰＯＦを用いたインビルディング中継方法。
【請求項１１】
前記遠隔分配ユニットは、
前記分配ハブユニットと前記ＰＯＦ光ケーブルで連結された拡張ハブユニットから前記デジタル信号を受信して前記ＲＦ信号に変換し、前記アンテナを介してビルの内部にデジタル放送ＲＦ信号を中継することを特徴とする、請求項７に記載のＰＯＦを用いたインビルディング中継方法。
【発明の詳細な説明】
【技術分野】
【０００１】
本発明の各実施例は、ＰＯＦ（Ｐｌａｓｔｉｃ  Ｏｐｔｉｃａｌ  Ｆｉｂｅｒ）を用いたインビルディング中継システム及び方法に関するものである。
【背景技術】
【０００２】
一般に、移動通信システムでは、基地局の設置費用が負担になる電波陰影地域をカバーするために中継器を設置し、該当の地域で移動通信のサービス品質を満足させようとする。
【０００３】
そのため、中継器は、基地局と連結し、基地局のセル半径を実質的に拡張するが、基地局との連結方法によって有線中継器と無線中継器に分けられる。
【０００４】
有線中継器は、中継器と基地局との間の通信が有線で行われるので良好な通話品質を維持できるが、無線中継器に比べて設置費用や装備の価格が高価であり、これによる賃借費用が相当かかる。
【０００５】
一方、無線中継器は、中継器と基地局との間の通信が無線で行われるので、通話品質は有線中継器に比べて低下するが、設置及び運用費用が低廉である。したがって、ビルの内部や地下のように、構造物によって電磁波が遮蔽される狭い空間に無線中継器を設置すると、高価な有線中継器よりも適宜活用することができる。
【０００６】
特に、ビルに設置する中継器（インビルディング中継器）は、一般に外部ＲＦアンテナ、中継器及び内部ＲＦアンテナで構成される。このようなインビルディング中継器は、ビルの外部に設置された外部ＲＦアンテナを介して基地局側から信号を受信し、中継器で受信された信号を増幅した後、内部ＲＦアンテナを介してビルの内部に信号を出力することによって、ビルの内部のユーザーにサービスを提供する。したがって、ビルの内部に発生しうる陰影地域を解消し、ユーザーは、ビル内でも良い品質の通信サービスを受けることができる。
【先行技術文献】
【特許文献】
【０００７】
【特許文献１】特開平６−２６１３６９号公報
【発明の概要】
【発明が解決しようとする課題】
【０００８】
本発明の一実施例は、ＰＯＦを用いて有無線統合中継サービスを提供することによって、データ伝送速度を向上させることができ、低廉な費用で楽にインビルディング中継システムを構築できるようにする、ＰＯＦを用いたインビルディング中継システム及び方法を提供する。
【０００９】
本発明が解決しようとする課題は、以上言及した課題に制限されず、言及していない他の課題は下記の記載を通して当業者に明確に理解されるだろう。
【課題を解決するための手段】
【００１０】
本発明の一実施例に係るＰＯＦを用いたインビルディング中継システムは、移動通信基地局又はギャップフィラー（Ｇａｐ  Ｆｉｌｌｅｒ）中継器から受信されたＲＦ信号をデジタル信号に変換し、これをＰＯＦ光ケーブルを介して複数の遠隔分配ユニットに伝送し、前記遠隔分配ユニットから前記デジタル信号を受信して前記ＲＦ信号に変換し、これを前記ＰＯＦ光ケーブルを介して前記移動通信基地局又は前記ギャップフィラーに伝送する分配ハブユニットと、ビルの内部に設置され、前記分配ハブユニットから前記ＰＯＦ光ケーブルを介して前記デジタル信号を受信し、これを前記ＲＦ信号に変換してアンテナに伝送し、前記アンテナから前記ＰＯＦ光ケーブルを介して前記ＲＦ信号を受信し、これを前記デジタル信号に変換して前記分配ハブユニットに伝送する前記遠隔分配ユニットと、を含む。
【００１１】
前記分配ハブユニットは、前記移動通信基地局又は前記ギャップフィラー中継器との間で無線で前記ＲＦ信号を送受信するＲＦ中継器と前記ＰＯＦ光ケーブルを介して連結される。
【００１２】
前記分配ハブユニットは、前記移動通信基地局又は前記ギャップフィラー中継器と連結されたメーンハブユニット（ＭＨＵ）と前記ＰＯＦ光ケーブルで接続される。
【００１３】
前記分配ハブユニットは、前記ビルの地下に設けられた地下通信室に設置される。
【００１４】
前記遠隔分配ユニットは、前記分配ハブユニットと前記ＰＯＦ光ケーブルで連結された拡張ハブユニットから前記デジタル信号を受信して前記ＲＦ信号に変換し、前記アンテナを介してビルの内部にデジタル放送ＲＦ信号を中継することができる。
【００１５】
前記インビルディング中継システムは、ＷＣＤＭＡ、ＷＩＢＲＯ、ＷＩＦＩ、ＬＴＥのうちいずれか一つの無線通信方式を用いてインビルディングでサービス可能な放送及びコンテンツを処理することができる。
【００１６】
本発明の一実施例に係るＰＯＦを用いたインビルディング中継方法は、分配ハブユニットで、移動通信基地局又はギャップフィラー中継器から受信されたＲＦ信号をデジタル信号に変換し、これをＰＯＦ光ケーブルを介して複数の遠隔分配ユニットに伝送する段階と、遠隔分配ユニットで、前記分配ハブユニットから前記ＰＯＦ光ケーブルを介して前記デジタル信号を受信して前記ＲＦ信号に変換する段階と、遠隔分配ユニットで、前記ＲＦ信号を前記ＰＯＦ光ケーブルを介してアンテナに伝送し、ビルの内部にデジタル放送ＲＦ信号を中継する段階とを含む。
【００１７】
本発明の一実施例に係るＰＯＦを用いたインビルディング中継方法は、前記遠隔分配ユニットで、前記アンテナから前記ＰＯＦ光ケーブルを介して前記ＲＦ信号を受信し、これを前記デジタル信号に変換して前記分配ハブユニットに伝送する段階と、前記分配ハブユニットで、前記遠隔分配ユニットから前記デジタル信号を受信し、これを前記ＲＦ信号に変換して前記ＰＯＦ光ケーブルを介して前記移動通信基地局又は前記ギャップフィラーに伝送する段階とをさらに含むことができる。
【００１８】
前記分配ハブユニットは、前記移動通信基地局又は前記ギャップフィラー中継器との間で無線で前記ＲＦ信号を送受信するＲＦ中継器と前記ＰＯＦ光ケーブルを介して連結される。
【００１９】
前記分配ハブユニットは、前記移動通信基地局又は前記ギャップフィラー中継器と連結されたメーンハブユニット（ＭＨＵ）と前記ＰＯＦ光ケーブルで接続される。
【００２０】
前記遠隔分配ユニットは、前記分配ハブユニットと前記ＰＯＦ光ケーブルで連結された拡張ハブユニットから前記デジタル信号を受信して前記ＲＦ信号に変換し、前記アンテナを介してビルの内部にデジタル放送ＲＦ信号を中継することができる。
【００２１】
その他の各実施例の具体的な事項は、詳細な説明及び添付の各図面に含まれている。
【００２２】
本発明の利点及び／又は特徴、そして、それらを達成する方法は、添付の図面と共に詳細に記載した各実施例を参照すると明確になるだろう。しかし、本発明は、以下で開示する各実施例に限定されるものではなく、互いに異なる多様な形態で具現可能である。ただし、本実施例は、本発明を完全に開示し、本発明の属する技術分野で通常の知識を有する者に発明の範疇を完全に知らせるために提供するもので、本発明は、請求項の範疇によって定義されるものに過ぎない。明細書全般にわたって同一の参照符号は、同一の構成要素を示す。
【発明の効果】
【００２３】
本発明の一実施例によると、ＰＯＦを用いて有無線統合中継サービスを提供することによって、データ伝送速度を向上させることができ、低廉な費用で楽にインビルディング中継システムを構築することができる。
【図面の簡単な説明】
【００２４】
【図１】本発明の一実施例に係るＰＯＦを用いたインビルディング中継システムを説明するために示した図である。
【図２】本発明の一実施例によって移動通信基地局から伝送されたＲＦ信号がビル内の中継器まで伝達される過程を示した図である。
【図３】本発明の他の実施例に係るインビルディング中継システムを説明するために示した図である。
【図４】本発明の他の実施例によってギャップフィラー中継器から伝送されたＲＦ信号がビル内の中継器まで伝達される過程を示した図である。
【図５】本発明の各実施例に適用される有無線保安システムを示した図である。
【図６】図１のメーンハブユニット（ＭＨＵ）の詳細構成を示したブロック図である。
【図７】図１の分配ハブユニット（ＤＨＵ）の詳細構成を示したブロック図である。
【図８】図１の拡張ハブユニット（ＥＨＵ）の詳細構成を示したブロック図である。
【図９】図１の遠隔分配ユニット（ＲＤＵ）の詳細構成を示したブロック図である。
【発明を実施するための形態】
【００２５】
本発明の一実施例に係るインビルディング中継システム及び方法は、ＰＯＦを用いて有無線統合中継サービスを提供することによって、データ伝送速度を向上させることができ、低廉な費用で楽にインビルディング中継システムを構築することができる。
【００２６】
前記ＰＯＦは、ガラス光ファイバ（ＧＯＦ）の短所を補完し、かつ開口数も高いので、非専門家でも容易に取り扱うことができ、構築費用も低廉である。特に、現在は、超高速インターネット、ＣＡＴＶ、ホームオートメーションが建物内部のネットワークで一つのメディアとして統合されていく傾向にあるので、ＰＯＦは、データ通信分野で活用性が一層高くなっている。
【００２７】
このようなＰＯＦは、光信号が伝播されるコアと、その外部を取り囲んでいるクラッディング（Ｃｌａｄｄｉｎｇ）とを含む構造からなる。前記ＰＯＦのコア物質としてはアクリル系高分子であるポリメチルメタクリレート（ＰＭＭＡ：Ｐｏｌｙ  Ｍｅｔｈｙｌ  Ｍｅｔｈａｃｒｙｌａｔｅ）が使用され、クラッディングとしてはフッ素系高分子が使用される。
【００２８】
以下では、添付の図面を参照して本発明の各実施例を詳細に説明する。
【００２９】
図１は、本発明の一実施例に係るＰＯＦを用いたインビルディング中継システムを説明するために示した図で、図２は、本発明の一実施例によって移動通信基地局から伝送されたＲＦ信号がビル内の中継器まで伝達される過程を示した図である。
【００３０】
図１及び図２を参照すると、本発明の一実施例に係るＰＯＦを用いたインビルディング中継システム１００は、分配ハブユニット（ＤＨＵ：Ｄｉｓｔｒｉｂｕｔｉｏｎ  Ｈｕｂ  Ｕｎｉｔ）１１０、複数の遠隔分配ユニット（ＲＤＵ：Ｒｅｍｏｔｅ  Ｄｉｓｔｒｉｂｕｔｉｏｎ  Ｕｎｉｔ）１２０、メーンハブユニット（ＭＨＵ：Ｍａｉｎ  Ｈｕｂ  Ｕｎｉｔ）１３０、拡張ハブユニット（ＥＨＵ：Ｅｘｐａｎｓｉｏｎ  Ｈｕｂ  Ｕｎｉｔ）１４０及びＲＦ中継器１５０を含むことができる。
【００３１】
前記分配ハブユニット１１０は、ビルの地下に設けられた地下通信室に設置され、移動通信基地局１０１からＲＦ信号を受信する。このとき、前記分配ハブユニット１１０は、前記移動通信基地局１０１からＰＯＦ光ケーブルを介して前記ＲＦ信号を直接受信することもでき、前記移動通信基地局１０１と連結されたメーンハブユニット１３０からＰＯＦ光ケーブルを介して前記ＲＦ信号を受信することもできる。
【００３２】
また、前記分配ハブユニット１１０は、前記移動通信基地局１０１との間で無線で前記ＲＦ信号を送受信するＲＦ中継器１５０から前記ＰＯＦ光ケーブルを介して前記ＲＦ信号を受信することもできる。
【００３３】
前記分配ハブユニット１１０は、前記ＲＦ信号をデジタル信号に変換し、これをＰＯＦ光ケーブルを介して前記遠隔分配ユニット１２０に伝送する。このとき、前記分配ハブユニット１１０は、前記デジタル信号を前記遠隔分配ユニット１２０に直接伝送することもでき、前記拡張ハブユニット１４０を介して前記遠隔分配ユニット１２０に前記デジタル信号を伝送することもできる。
【００３４】
また、前記分配ハブユニット１１０は、前記遠隔分配ユニット１２０から前記デジタル信号を受信する。このとき、前記分配ハブユニット１１０は、前記遠隔分配ユニット１２０から前記デジタル信号を直接受信することもでき、前記拡張ハブユニット１４０を介して前記遠隔分配ユニット１２０から前記デジタル信号を受信することもできる。
【００３５】
前記分配ハブユニット１１０は、前記の受信されたデジタル信号をＲＦ信号に変換し、これを前記ＰＯＦ光ケーブルを介して前記移動通信基地局１０１に伝送する。このとき、前記分配ハブユニット１１０は、前記移動通信基地局１０１に前記ＲＦ信号を直接伝送することができる。
【００３６】
また、前記分配ハブユニット１１０は、前記メーンハブユニット１３０を介して前記移動通信基地局１０１に前記ＲＦ信号を伝送することもでき、前記ＲＦ中継器１５０を介して前記移動通信基地局１０１に前記ＲＦ信号を伝送することもできる。
【００３７】
前記遠隔分配ユニット１２０は、ビルの内部に設置され、前記分配ハブユニット１１０からＰＯＦ光ケーブルを介して前記デジタル信号を受信する。このとき、前記遠隔分配ユニット１２０は、前記分配ハブユニット１１０から前記デジタル信号を直接受信することもでき、前記拡張ハブユニット１４０を介して前記デジタル信号を受信することもできる。
【００３８】
前記遠隔分配ユニット１２０は、前記の受信されたデジタル信号をＲＦ信号に変換し、これをＰＯＦ光ケーブルを介してアンテナに伝送する。これによって、前記アンテナは、ビルの内部に前記ＲＦ信号を中継できるようになる。
【００３９】
また、前記遠隔分配ユニット１２０は、前記アンテナからＰＯＦ光ケーブルを介して前記ＲＦ信号を受信する。前記遠隔分配ユニット１２０は、前記の受信されたＲＦ信号をデジタル信号に変換して前記分配ハブユニット１１０に伝送する。
【００４０】
このとき、前記遠隔分配ユニット１２０は、前記デジタル信号を前記分配ハブユニット１１０に直接伝送することもでき、前記拡張ハブユニット１４０を介して間接的に伝送することもできる。
【００４１】
図３は、本発明の他の実施例に係るインビルディング中継システムを説明するために示した図で、図４は、本発明の他の実施例によってギャップフィラー中継器から伝送されたＲＦ信号がビル内の中継器まで伝達される過程を示した図である。
【００４２】
図３及び図４に示すように、本発明の他の実施例に係るインビルディング中継システム３００は、デジタル放送のためのビル内部の中継器に適用される。
【００４３】
本発明の他の実施例に係るインビルディング中継システム３００においては、デジタル放送用ギャップフィラー中継器３０１を除いては、分配ハブユニット３１０、複数の遠隔分配ユニット３２０、メーンハブユニット３３０、拡張ハブユニット３４０及びＲＦ中継器３５０の構成が図１及び図２の場合と同一である。
【００４４】
本発明の他の実施例に係るインビルディング中継システム３００は、建物外部のデジタル放送用中継器であるギャップフィラー中継器３０１との連動が可能であり、ビル内部の分配ハブユニット３１０は、前記ギャップフィラー中継器３０１との間でＲＦ信号を送受信することができる。
【００４５】
図５は、本発明の各実施例に適用される有無線保安システムを示した図である。
【００４６】
図５を参照すると、それぞれの無線ループ地域１  ５１０、無線ループ地域２  ５２０、無線ループ地域３  ５３０、無線ループ地域４  ５４０がＰＯＦ光ケーブル網を介して中央集中局５５０に連結されている。
【００４７】
ここで、前記各無線ループ地域は、ＣＤＭＡ移動通信方式で連結され、中央集中局５５０には、上述したようにＰＯＦ光ケーブル網で接続される。このような有無線保安システムは、ＣＣＴＶを用いて両方向遠隔監視が可能であり、有線と無線を用いた低価のシステム具現を可能にする。
【００４８】
図６は、図１のメーンハブユニット（ＭＨＵ）１３０の詳細構成を示したブロック図である。
【００４９】
図６を参照すると、前記メーンハブユニット１３０は、ＲＦモジュール６１０、Ｅ／Ｏ変換器（Ｅｌｅｃｔｒｉｃ  ｔｏ  Ｏｐｔｉｃ  Ｃｏｎｖｅｒｔｅｒ）６２０及びコントローラ６３０を含むことができる。
【００５０】
前記メーンハブユニット１３０は、移動通信基地局（ＢＴＳ）１０１から送信ＲＦ信号を受信する。前記送信ＲＦ信号は、ＲＦモジュール６１０で増幅された後、電気信号を光信号に変換させるＥ／Ｏ変換器６２０を経てＰＯＦ光ケーブルを介して分配ハブユニット１１０に伝送される。
【００５１】
一方、前記メーンハブユニット１３０は、分配ハブユニット１１０から受信ＲＦ信号を受信する。前記受信ＲＦ信号は、前記分配ハブユニット１１０からＰＯＦ光ケーブルを介して入り、Ｏ／Ｅ変換器６２０を通して光信号が電気信号に変換される。前記受信ＲＦ信号は、ＲＦモジュール６１０を経て前記移動通信基地局１０１に伝送される。
【００５２】
前記ＲＦモジュール６１０及びＥ／Ｏ変換器６２０は、前記コントローラ６３０から制御信号を受けて前記のように動作する。
【００５３】
図７は、図１の分配ハブユニット（ＤＨＵ）１１０の詳細構成を示したブロック図である。
【００５４】
図７を参照すると、前記分配ハブユニット１１０は、Ｏ／Ｅ変換器７１０、周波数ダウン変換器（Ｆｒｅｑｕｅｎｃｙ  Ｄｏｗｎ  Ｃｏｎｖｅｒｔｅｒ）７２０、周波数アップ変換器（Ｆｒｅｑｕｅｎｃｙ  Ｕｐ  Ｃｏｎｖｅｒｔｅｒ）７３０、ＡＤＣ（Ａｎａｌｏｇ  ｔｏ  Ｄｉｇｉｔａｌ  Ｃｏｎｖｅｒｔｅｒ）７４０、ＤＡＣ（Ｄｉｇｉｔａｌ  ｔｏ  Ａｎａｌｏｇ  Ｃｏｎｖｅｒｔｅｒ）７５０、送信チップ７６０、受信チップ７７０及びコントローラ７８０を含むことができる。
【００５５】
前記分配ハブユニット１１０は、メーンハブユニット１３０からＰＯＦ光ケーブルを介して送信ＲＦ信号を受信する。前記送信ＲＦ信号は、前記Ｏ／Ｅ変換器７１０を通して光信号から電気信号に変換された後、前記周波数ダウン変換器７２０を通してベースバンドに変換される。
【００５６】
続いて、前記ベースバンドに変換された前記送信ＲＦ信号は、前記ＡＤＣ７４０を通してデジタル信号に変換された後、前記送信チップ７６０を経てＰＯＦ光ケーブルを介して拡張ハブユニット１４０に伝送される。
【００５７】
一方、前記分配ハブユニット１１０は、前記拡張ハブユニット１４０からＰＯＦ光ケーブルを介して受信ＲＦ信号を受信する。前記受信ＲＦ信号は、前記受信チップ７７０を介して受信され、前記ＤＡＣ７５０を通してアナログ信号に変換される。
【００５８】
続いて、前記アナログ信号に変換された前記受信ＲＦ信号は、周波数アップ変換器７３０を通してキャリア周波数に変調された後、Ｅ／Ｏ変換器７１０に伝送される。続いて、前記受信ＲＦ信号は、前記Ｅ／Ｏ変換器７１０を経て前記メーンハブユニット１３０に伝送される。
【００５９】
前記コントローラ７８０は、前記分配ハブユニット１１０、すなわち、前記Ｏ／Ｅ変換器７１０、周波数ダウン変換器７２０、周波数アップ変換器７３０、ＡＤＣ７４０、ＤＡＣ７５０、送信チップ７６０、受信チップ７７０などの動作を全般的に制御する。
【００６０】
図８は、図１の拡張ハブユニット（ＥＨＵ）１４０の詳細構成を示したブロック図である。
【００６１】
図８を参照すると、前記拡張ハブユニット１４０は、受信チップ８１０、送信チップ８２０、加算器８３０、送信部８４０、複数の受信部８５０及びコントローラ８６０を含むことができる。
【００６２】
図８を参照すると、前記拡張ハブユニット１４０は、分配ハブユニット１１０からＰＯＦ光ケーブルを介して送信ＲＦ信号を受信する。前記送信ＲＦ信号は、前記受信チップ８１０を介して受信され、加算器８３０で加算された後、送信部８４０に伝送される。続いて、前記送信ＲＦ信号は、前記送信部８４０を経てＰＯＦ光ケーブルを介して遠隔分配ユニット１２０に伝送される。
【００６３】
一方、前記拡張ハブユニット１４０は、前記遠隔分配ユニット１２０からＰＯＦ光ケーブルを介して受信ＲＦ信号を受ける。前記受信ＲＦ信号は、前記受信部８５０を介して受信され、加算器８３０で加算された後、送信チップ８２０に伝送される。続いて、前記受信ＲＦ信号は、前記送信チップ８２０を経てＰＯＦ光ケーブルを介して前記分配ハブユニット１１０に伝送される。
【００６４】
前記コントローラ８６０は、前記拡張ハブユニット１４０、すなわち、前記受信チップ８１０、送信チップ８２０、加算器８３０、送信部８４０、複数の受信部８５０などの動作を全般的に制御する。
【００６５】
図９は、図１の遠隔分配ユニット（ＲＤＵ）１２０の詳細構成を示したブロック図である。
【００６６】
図９を参照すると、前記遠隔分配ユニット１２０は、受信チップ９１０、送信チップ９２０、ＤＡＣ９３０、ＡＤＣ９４０、周波数アップ変換器９５０、周波数ダウン変換器９６０、ＨＰＡ（Ｈｉｇｈ  Ｐｏｗｅｒ  Ａｍｐｌｉｆｉｅｒ）９７０、ＬＮＡ（Ｌｏｗ  Ｎｏｉｓｅ  Ａｍｐｌｉｆｉｅｒ）９８０、送受信フィルタ９９０及びコントローラ９９５を含むことができる。
【００６７】
前記遠隔分配ユニット１２０は、拡張ハブユニット１４０からＰＯＦ光ケーブルを介して送信ＲＦ信号を受信する。前記送信ＲＦ信号は、前記受信チップ９１０を介して受信され、前記ＤＡＣ９３０を経てアナログ信号に変換される。続いて、前記送信ＲＦ信号は、周波数アップ変換器９５０を通してキャリア周波数に変調された後、前記ＨＰＡ９７０を経て高出力で増幅される。続いて、前記送信ＲＦ信号は、前記送受信フィルタ９９０を経てＰＯＦ光ケーブルを介してビル内部の中継器アンテナ９０１に伝送される。ここで、前記送受信フィルタ９９０はデュプレクサに具現される。
【００６８】
一方、前記遠隔分配ユニット１２０は、前記アンテナ９０１からＰＯＦ光ケーブルを介して受信ＲＦ信号を受信する。前記受信ＲＦ信号は、前記送受信フィルタ９９０を介して受信され、前記ＬＮＡ９８０を経て低雑音で増幅される。続いて、前記受信ＲＦ信号は、前記周波数ダウン変換器９６０を通してベースバンドに変換された後、前記ＡＤＣ９４０を通してデジタル信号に変換される。続いて、前記受信ＲＦ信号は、前記送信チップ９２０を経てＰＯＦ光ケーブルを介して前記拡張ハブユニット１４０に伝送される。
【００６９】
前記コントローラ９９５は、前記遠隔分配ユニット１２０、すなわち、前記受信チップ９１０、送信チップ９２０、ＤＡＣ９３０、ＡＤＣ９４０、周波数アップ変換器９５０、周波数ダウン変換器９６０、ＨＰＡ９７０、ＬＮＡ９８０、送受信フィルタ９９０などの動作を全般的に制御する。
【００７０】
このように、本発明の各実施例では、ＰＯＦを用いて有無線統合中継サービスを提供することによって、データ伝送速度を向上させることができ、低廉な費用で楽にインビルディング中継システムを構築することができる。
【００７１】
このようなインビルディング中継システムは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ワイブロ（ＷＩＢＲＯ）、ワイファイ（ＷＩＦＩ）、ＬＴＥ（Ｌｏｎｇ  Ｔｅｒｍ  Ｅｖｏｌｕｔｉｏｎ）のうちいずれか一つの無線通信方式を用いてインビルディングでサービス可能な放送及びコンテンツを処理することができる。
【００７２】
以上、本発明に係る具体的な実施例に関して説明したが、本発明の範囲から逸脱しない限度内で多様な変形が可能であることは当然である。したがって、本発明の範囲は、説明された実施例に限定して定められてはならず、後述する特許請求の範囲だけでなく、この特許請求の範囲と均等なものによって定められなければならない。
【００７３】
以上のように、本発明を限定された実施例と図面に基づいて説明したが、本発明は、前記実施例に限定されるものでなく、本発明の属する分野で通常の知識を有する者であればこのような記載から多様な修正及び変形が可能である。したがって、本発明の思想は、下記に記載した特許請求の範囲のみによって把握されなければならなく、その均等又は等価的変形はいずれも本発明の思想の範疇に属するものといえる。
【符号の説明】
【００７４】
１００、３００：インビルディング中継システム、１１０、３１０：分配ハブユニット、１２０、３２０：遠隔分配ユニット、１３０、３３０：メーンハブユニット、１４０、３４０：拡張ハブユニット、１５０、３５０：ＲＦ中継器
【図１】
2012114892.tif 000003
【図２】
2012114892.tif 000004
【図３】
2012114892.tif 000005
【図４】
2012114892.tif 000006
【図５】
2012114892.tif 000007
【図６】
2012114892.tif 000008
【図７】
2012114892.tif 000009
【図８】
2012114892.tif 000010
【図９】
2012114892.tif 000011